(57)【要約】      （修正有）【課題】人が携帯して必要な場所に持ち出すことができる携帯用威嚇音発生器を提供する。【解決手段】手に持って移動することができる携帯用威嚇音発生器１により、獣害を防止する。すなわち、予め録音された複数の音源と、複数の音源の中から１つの音源を選択する音源選択スイッチと、音源選択スイッチにより選択された音源を増幅する増幅器と、増幅器により増幅された音源を出力するスピーカ４０とを備えた。【選択図】図１
0003222912.tif 000002
【実用新案登録請求の範囲】
【請求項１】
予め録音された複数の音源と
前記複数の音源の中から1つの音源を選択する音源選択スイッチと
前記音源選択スイッチにより選択された音源を増幅する増幅器と
前記増幅器により増幅された音源を出力するスピーカとを
備えたことを特徴とする携帯用威嚇音発生器。
【請求項２】
前記複数の音源の中に少なくとも１つは食肉目の動物の鳴き声を含むことを特徴とする請求項１に記載の携帯用威嚇音発生器。
【請求項３】
使用開始時に前回使用した音源が選択されていることを特徴とする請求項１又は２に記載の携帯用威嚇音発生器。
【考案の詳細な説明】
【技術分野】
【０００１】
本考案は、人や農作物等に危害を加える害獣を追い払うための携帯用威嚇音発生器に関するものである。
【背景技術】
【０００２】
近年、イノシシ、アライグマ、シカ等の増加により、これらの害獣が人里に侵入し農作物を荒らすことに加え、宅地にまで侵入して人の生活にも害を与えることが問題になっている。そこで、これらの獣害を防止するために、様々な対策が講じられている。
【０００３】
例えば、予め録音しておいた害獣が忌避する音声を、保護すべき農林作物の周辺に配置した拡声器ユニットから流すことを特徴とする害獣の駆逐方法（特許文献１参照）が提案されている。
【先行技術文献】
【特許文献】
【０００４】
【特許文献１】特開Ｈ９-３２７２６０号公報
【考案の概要】
【考案が解決しようとする課題】
【０００５】
しかしながら、特許文献１の害獣の駆逐方法は、保護すべき農林作物の周辺に配置した拡声器ユニットを用いて行われるものであり、対象とする害獣の駆逐区域に拡声器ユニットを固定的に設置するものである。したがって、常時場所を移動して出没する害獣に対応するためには、全ての駆逐区域に拡声器ユニットを配置しなければならず、費用が嵩むという問題があった。
【０００６】
そこで、本考案は、人が携帯して必要な場所に持ち出すことができる携帯用威嚇音発生器を提供することを課題としている。
【課題を解決するための手段】
【０００７】
本考案は、手に持って移動することができる威嚇音発生器により、獣害を防止しようとするものである。
【０００８】
すなわち、第１の本考案は、予め録音された複数の音源と、複数の音源の中から1つの音源を選択する音源選択スイッチと、音源選択スイッチにより選択された音源を増幅する増幅器と、増幅器により増幅された音源を出力するスピーカとを備えたことを特徴とする携帯用威嚇音発生器である。
【０００９】
第１の本考案に係る携帯用威嚇音発生器は、音源として予め録音された複数の威嚇音の中から、音源選択スイッチにより１つの音源が選択され、その選択された音源が、増幅器で増幅されて音量調整された後、スピーカから出力されるものである。
予め録音された複数の威嚇音は、実際の機械音や猛獣の鳴き声を録音したものでもよく、音声合成技術により人工的に作成された威嚇音でもよい。
害獣が出没する可能性の高い時、あるいは実際に害獣が現れた時に、人がこの携帯用威嚇音発生器を持ってその場所に行き威嚇音を流すことで害獣を駆逐する。
【００１０】
次に第２の本考案は、第１の本考案において、複数の音源の中に少なくとも１つは食肉目の動物の鳴き声を含むことを特徴とする携帯用威嚇音発生器である。
食肉目の動物の鳴き声として、例えばトラ、ライオン、オオカミの鳴き声を用いると、害獣の駆逐が効果的に行える。
【００１１】
次に第３の本考案は、第１又は第２の本考案において、使用開始時に前回使用した音源が選択されていることを特徴とする携帯用威嚇音発生器である。
害獣の駆逐を必要とする区域によって、駆逐対象となる害獣が異なるため、複数の音源の中から駆逐対象の害獣に効果的な音源が選択されて使用されることになる。この音源は駆逐対象の害獣が変わらない限り継続して使用されることが多いので、電源を入れたときには、前回使用時の音源が自動的に選択されていると使い勝手がよい。
【考案の効果】
【００１２】
上記の基本的な構成からなる本考案は、威嚇音発生機能を有する装置を携帯可能とすることで、害獣の駆逐コストの低減を図ることができる。
【図面の簡単な説明】
【００１３】
【図１】本考案の実施形態を説明するための側面図である。
【図２】本考案の実施形態を説明するための操作部の拡大図である。
【図３】本考案の実施形態を説明するためのブロック図である。
【考案を実施するための形態】
【００１４】
以下、本考案の実施形態（実施例）を図に基づいて詳細に説明する。
【実施例】
【００１５】
図１は、本考案の実施形態を説明するための側面図である。図１に示すように、本考案の実施例において、携帯用威嚇音発生器１は、拡声器（メガホン）一体型である。携帯用威嚇音発生器１は、前方に向かってラッパ状に形成されたスピーカ４０と全体を支持するためのハンドル７０とを備えている。携帯用威嚇音発生器１が、このような拡声器一体型の形態を有することで、これを容易に害獣の現れる区域に持ち出して使用することができる。
【００１６】
図２は、本考案の実施形態を説明するための操作部の拡大図である。図２に示すように、携帯用威嚇音発生器１の後面に電源スイッチ５２、音源選択スイッチ２０、音量調整レバー６０が設けられている。電源スイッチ５２を押し込むことで電源が入り、音源選択スイッチ２０の内、任意のボタン（Ａ、Ｂ、Ｃ）を押し込むことで、予め録音された音源が選択される。音源選択スイッチ２０の各々のボタン（Ａ、Ｂ、Ｃ）は、押し込まれていない状態が定常位置であり、既に押し込まれているボタンがある場合は、その押し込まれた位置を保持し、同じボタンをもう一度押すか、他のボタンを押し込むことにより、定常位置に復帰する。この機構により、例えばＡのボタンが押し込まれたままで電源スイッチ５２をＯＦＦにした後、改めて電源スイッチ５２をＯＮにすれば、Ａのボタンで選択された音源がスピーカから出力されることになる。
スピーカから出力される音源の音量は、音量調整レバー６０を左右にスライドすることで調整される。
【００１７】
図３は、本考案の実施形態を説明するためのブロック図である。音源１０は各々異なる音源Ａ、音源Ｂ，音源Ｃを有している。電源は、電源スイッチ５２のＯＮにより電源部５０から、増幅器３０を含む必要箇所に供給される。そして、音源選択スイッチ２０で選択された音源１０が増幅器３０で所定の電力に増幅され、スピーカ４０から出力される。
【００１８】
例えば音源Ａはトラの鳴き声、音源Ｂはライオンの鳴き声、音源Ｃはオオカミの鳴き声である。音源１０は、これらの肉食目の動物の実際の鳴き声を録音したものでもよいが、実際の鳴き声から害獣が嫌がる部分を強調するために人工的に作られた鳴き声であってもよい。
【符号の説明】
【００１９】
１      携帯用威嚇音発生器
１０    音源
２０    音源選択スイッチ
３０    増幅器
４０    スピーカ
５０    電源部
５２    電源スイッチ
６０    音量調整レバー
７０    ハンドル
【図１】
0003222912.tif 000003
【図２】
0003222912.tif 000004
【図３】
0003222912.tif 000005